(57)【要約】【課題】ディスクをその中心孔の一部がスロット部より筐体外に露出する位置に停止させながら、そのディスクがユーザによって抜取られる前にスロット部から脱落してしまうことを防止できるディスク駆動装置の提供。【解決手段】筐体のスロット部に挿入されたディスクを筐体内におけるドライブ位置まで搬入し、ドライブ位置におけるディスクをその中心孔の一部が筐体外に露出するイジェクト位置まで搬出するディスク搬送機構を備えたディスク駆動装置であり、ドライブ位置からイジェクト位置に搬出されたディスクの脱落を防止する手段を有する。その手段は、ディスクの搬出動作に連動してディスクのイジェクト位置で該ディスクの中心孔内に進入した状態となるディスクストッパ２５と、これをディスクの中心孔に対する進入位置と退出位置とに保持する板バネ３０とを備える。【選択図】図９
2007149227.tif 000002
【特許請求の範囲】
【請求項１】
筐体のスロット部に挿入されたディスクを筐体内における所定のドライブ位置まで搬入すると共に、前記ドライブ位置におけるディスクをその中心孔の一部が前記スロット部より筐体外に露出するイジェクト位置まで搬出するディスク搬送機構を備えたディスク駆動装置であって、
前記ドライブ位置からイジェクト位置に搬出されたディスクが前記スロット部から脱落するのを防止するディスク脱落防止手段を有し、
そのディスク脱落防止手段は、前記ディスク搬送機構によるディスクの搬出動作に連動し、ディスクのイジェクト位置において該ディスクの中心孔内に進入した状態となるディスクストッパを具備することを特徴とするディスク駆動装置。
【請求項２】
ディスク脱落防止手段は、ディスクストッパをディスクの中心孔に対する進入位置と退出位置とに保持する弾性保持体を有し、イジェクト位置においてディスクが抜取られる際の抜取力により前記ディスクストッパが前記進入位置から退出位置に復帰してディスクに干渉しない状態で保持されるようにしたことを特徴とする請求項１記載のディスク駆動装置。
【請求項３】
ディスク脱落防止手段は、ディスク搬送機構の駆動源により回転駆動されるカムギヤを有し、そのカムギヤによりディスクの中心孔に対するディスクストッパの進入動作が行われることを特徴とする請求項１、又は２記載のディスク駆動装置。
【発明の詳細な説明】
【技術分野】
【０００１】
本発明は、ＣＤプレーヤやＤＶＤレコーダに代表されるディスク駆動装置に係わり、特にディスクがイジェクト位置まで自動搬出されたとき、そのディスクを人為的に抜き取られるまでイジェクト位置に保持できるようにしたディスク駆動装置に関する。
【背景技術】
【０００２】
従来、ＣＤやＤＶＤといったディスクに楽曲情報などを記録したり、その記録情報を再生したりするディスク駆動装置が一般に良く知られている。係るディスク駆動装置は、ディスクを回転させるターンテーブルやディスクの半径方向に移動するピックアップなどを備えたディスク駆動部を有し、そのターンテーブルによりクランプ盤との間にディスクの中心部をチャッキングしてこれを回転させながら、その半径方向に移動するピックアップによりディスクの記録情報を読み取ったり情報の書き込みを行ったりすることのできる構成とされる。
【０００３】
特に、係るディスク駆動装置として、ディスクを載せるトレイを用いず、スリット状の開口部（スロット部）とディスク駆動部を構成するターンテーブルとの間でディスクの搬入および搬出を行うディスク搬送機構を備えたものが知られる。
【０００４】
その種のディスク駆動装置はスロットインタイプと呼ばれるが、係るディスク駆動装置として、取り出すべきディスクが装置内から勢い良く搬出されることを防止するために、搬出時のディスクをスロット部の長手方向両側から挟み込むためのブレーキ部材を設けたものが知られる（例えば、特許文献１）。
【０００５】
【特許文献１】特開平８−１６７２０８号公報（段落０１２５〜０１２８及び図１４〜１５）
【発明の開示】
【発明が解決しようとする課題】
【０００６】
然しながら、特許文献１のように、左右一対のブレーキ部材をディスクの端面に押し付ける構成によれば、ブレーキ部材による挟持力によってディスクに作用する制動力にバラツキが生じ、ディスクの停止位置がその都度変わり、最悪の場合にはディスクが停止されることなく勢い余ってスロット部から脱落してしまう虞があった。
【０００７】
特に、特許文献１では、ブレーキ部材によりディスクをスロット部の長手方向両側から挟み込むようにしているため、左右一対のブレーキ部材は筐体内におけるスロット部の近傍にあって両者の間隔がディスクの直径よりも小さくなければならない。
【０００８】
従って、ディスクは筐体内から大きく張り出さず、その中心孔が筐体の外部に現れないので、ディスクをスロット部から抜取るときその中心孔に指を掛けることができず、ディスクを厚さ方向から摘むことになるためにディスクの信号記録エリアに指が触れて記録情報を劣化させる危険性があった。
【０００９】
本発明は以上のような事情に鑑みて成されたものであり、その目的はディスクの信号記録エリアを傷付けることなしにディスクをスロット部から抜取れるよう、ディスクをその中心孔の一部がスロット部より筐体外に露出する位置に停止させながら、そのディスクがユーザによって抜取られる前にスロット部から脱落してしまうことを防止できるようにすることにある。
【課題を解決するための手段】
【００１０】
本発明は上記目的を達成するため、筐体のスロット部に挿入されたディスクを筐体内における所定のドライブ位置まで搬入すると共に、前記ドライブ位置におけるディスクをその中心孔の一部が前記スロット部より筐体外に露出するイジェクト位置まで搬出するディスク搬送機構を備えたディスク駆動装置であって、前記ドライブ位置からイジェクト位置に搬出されたディスクが前記スロット部から脱落するのを防止するディスク脱落防止手段を有し、そのディスク脱落防止手段は、前記ディスク搬送機構によるディスクの搬出動作に連動し、ディスクのイジェクト位置において該ディスクの中心孔内に進入した状態となるディスクストッパ２５を具備することを特徴とする。
【００１１】
又、上記のように構成されるディスク駆動装置において、ディスク脱落防止手段は、ディスクストッパ２５をディスクの中心孔に対する進入位置と退出位置とに保持する弾性保持体３０を有し、イジェクト位置においてディスクが抜取られる際の抜取力により前記ディスクストッパ２５が前記進入位置から退出位置に復帰してディスクに干渉しない状態で保持されるようにしたことを特徴とする。
【００１２】
加えて、ディスク脱落防止手段は、ディスク搬送機構の駆動源により回転駆動されるカムギヤ２１を有し、そのカムギヤ２１によりディスクの中心孔に対するディスクストッパ２５の進入動作が行われるようにしたことを特徴とする。
【発明の効果】
【００１３】
本発明のディスク駆動装置によれば、ディスク搬送機構によるディスクの搬出動作に連動してディスクのイジェクト位置で該ディスクの中心孔内に進入した状態となるディスクストッパを具備することから、ディスクの排出量を大きくしてその中心孔を外部に露出させた状態にしながら、ディスクをイジェクト位置に保持して片持ち状態のディスクが外部振動などによる影響でスロット部から脱落するのを確実に防止することができる。
【００１４】
特に、ディスクはイジェクト位置にあって中心孔が外部に露出されるので、ディスクの信号記録エリアに触れず中心孔に指先を掛けてディスクを抜取ることが可能となり、しかもイジェクト位置におけるディスクを抜取るときには、その抜取力によりディスクストッパがディスクの中心孔に対する進入位置から退出位置に復帰してディスクに干渉しない状態で保持されるようにしていることから、ディスクの信号記録エリアにディスクストッパが摺接されることもなく、このためディスクの信号記録エリアを傷付けず良好な記録再生能力を長期に亘って維持することができる。
【００１５】
更に、ディスクの中心孔に対するディスクストッパの進入動作がディスク搬送機構の駆動源により回転駆動されるカムギヤによって行われることから、ディスクストッパに誤動作のない確定運動を行わせることができる。
【発明を実施するための最良の形態】
【００１６】
以下、図面に基づいて本発明を詳しく説明する。図１は本発明に係るディスク駆動装置の構成例を示した斜視図である。図１において、１は金属板をプレス加工するなどして形成されるシャーシであり、このシャーシ１上には板バネ２を介して座板３が設けられる。
【００１７】
そして、その座板３にディスクを回転させるためのターンテーブル４や図示せぬピックアップを取り付けて楽曲情報などの記録／再生を行うドライブユニット５（一般にトラバースメカと称されるディスク駆動部）を構成している。因みに、ターンテーブル４は図示せぬスピンドルモータの駆動軸に直結して一方向に回転駆動され、図示せぬピックアップはターンテーブル４上で回転駆動されるディスクの半径方向に移動しながら記録情報の読み取りや書き込みを行う。又、シャーシ１は、その上部が図示せぬ天板により覆われた状態で図示せぬ筐体内に固定されるが、その筐体前面にはディスクの出し入れに供するスリット状の開口部（スロット部）が形成され、そのスロット部に挿入されたディスクが筐体の内外でディスク搬送機構により自動搬送されるようになっている。
【００１８】
尚、本発明では、ディスク搬送機構によるディスクの搬入終了位置をドライブ位置といい、そのドライブ位置ではディスクとターンテーブル４の中心が合致して、ターンテーブル４とこれに対向する図示せぬクランプ盤とによりディスクの中心をチャッキング可能とされる。又、ディスク搬送機構によるディスクの搬出終了位置をイジェクト位置といい、そのイジェクト位置ではディスクの中心孔の半分程度が上記スロット部より外部に露出する状態とされる。
【００１９】
ここで、上記ディスク搬送機構は、筐体内（ドライブユニット５に対向する位置）にディスクを引き込むための左右一対の引込アーム６，７、筐体内のディスクを外部に押し出すための押出アーム８、引込アーム６，７と押出アーム８を作動させるためのスライド部材９、並びにスライド部材９を駆動するための正逆回転可能なモータ１０などを有して構成され、引込アーム６，７の各一端にはディスクの端面に接触するローラ６ａ，７ａが設けられる。又、押出アーム８の一端にもディスクの端面に接触する押圧ピン８ａが設けられる。
【００２０】
係るディスク搬送機構の構成を図２および図３により更に詳しく説明すると、引込アーム６，７は各々その中間部分がピン１１，１２にてシャーシ１に回動自在に取り付けられており、その各一端には上述の如くローラ６ａ，７ａが設けられ、両者の他の一端は２つのリンク１３，１４を介して連接される。リンク１４は、シャーシ１に対しピン１５で回動自在に取り付けられ、リンク１３とは連接ピン１６により結合されており、それらリンク１３，１４の他の一端がそれぞれ引込アーム６，７に対して連接ピン１７，１８で結合されている。これにより、引込アーム６，７がリンク１３，１４を通じて逆向きに回動して互いに開閉運動を行うようになっている。
【００２１】
一方、押出アーム８は、引込アーム６の回動中心を成すピン１１に取り付けられて引込アーム６と回動中心を共有している。ここで、ピン１１には捩りバネ１９が装着され、その捩りバネ１９により引込アーム６と押出アーム８が互いに閉じる方向に付勢されるようにしてある。つまり、引込アーム６はピン１１を中心として図２の時計回り（ディスクの搬入方向）に付勢され、押出アーム８は同ピン１１を中心として図２の反時計回り（ディスクの搬出方向）に付勢されている。
【００２２】
又、図２および図３から明らかなように、スライド部材９は引込アーム６と押出アーム８の配置側に設けられるラック状の部品で、これはシャーシ１に対して摺動自在に取り付けられている。特に、スライド部材９はその長さ方向（ディスクの搬送方向）に移動可能とされ、これには引込アーム６の回動案内をするためのカム溝９ａと、押出アーム８の回動案内をするための突起９ｂが設けられる。尚、カム溝９ａには引込アーム６に突設される円柱状のカム従動子６ｂが挿入され、突起９ｂは押出アーム８の側面部に摺接される。
【００２３】
そして、本例によれば、スライド部材９が図３の矢印方向（ディスクの搬入方向Ｌ１）に摺動したとき、カム溝９ａの働きにより引込アーム６がピン１１を中心として図３の時計回りに回動されながら、突起９ｂが押出アーム８を押圧することにより該押出アーム８が捩りバネ１９の付勢力に抗してピン１１を中心に図３の時計回りに回動するようにしてある。尚、スライド部材９の摺動により一方の引込アーム６が図３の時計回りに回動されるとき、他方の引込アーム７は上記の如くリンク１３，１４を通じて図３の反時計回りに回動するのであり、このためローラ６ａ，７ａの間隔は徐々に狭められることになる。但し、スライド部材９がＬ１方向における終点位置に差し掛かると、カム溝９ａおよびリンク１３，１４の働きにより一対の引込アーム６，７の回動が逆向きに転換され、これによりローラ６ａ，７ａがディスクの端面から離間する。
【００２４】
ここで、シャーシ１には、図２のようにスライド部材９とモータ１０との間で伝動機構２０が設けられ、その伝動機構２０を介してモータ１０の動力がスライド部材９に伝達されるようにしてある。係る伝動機構２０は、ピニオン部２１ａを含む二段構造のカムギヤ２１を有して構成される歯車列であり、このうちカムギヤ２１を構成するピニオン部２１ａがスライド部材９のラック部９ｃと噛合わされている。尚、カムギヤ２１はディスク搬送機構により上記イジェクト位置に搬出されたディスクがスロット部から脱落するのを防止するディスク脱落防止手段を構成するが、その構成については後述する。
【００２５】
又、図２および図３から明らかなように、シャーシ１には左右一対の引込アーム６，７の間でスライダ２２が設けられる。スライダ２２は、上記スロット部の長手方向に沿って摺動可能とされる可動部品であり、これには傾斜状に立ち上がるガイド溝２２ａが形成される。更に、スライダ２２とスライド部材９の間にはピン２３を回転支点とする揺動レバー２４が掛け渡され、その一端がスライダ２２に連接されると共に、揺動レバー２４の他の一端にはスライド部材９に突設されるピン９ｄと係合するＵ字形の切欠２４ａが形成される。
【００２６】
そして、本例によれば、スライド部材９がＬ１方向に進行するとき、揺動レバーの切欠２４ａにスライド部材のピン９ｄが係合して揺動レバー２４が図３の反時計回りに回動され、これによってスライダ２２がスライド部材９側に引き寄せられつつ上記ドライブユニットの上昇動作が行われるようにしてある。
【００２７】
図４および図５で明らかなように、ドライブユニット５には、スライダのガイド溝２２ａに挿入するガイドピン５ａが突設されるのであり、このためスライダ２２が上記のようにスライド部材９側に移動すると、ガイドピン５ａがガイド溝２２ａに沿って押し上げられることにより、図５のようにドライブユニット５の上昇動作が行われる。又、スライダ２２がスライド部材９から離間する方向に移動すると、ガイドピン５ａがガイド溝２２ａに沿って押し下げられることにより、図４のように板バネ２が撓みつつドライブユニット５が傾斜姿勢に降下することとなる。尚、ドライブユニット５の上昇動作はディスク搬送機構によるディスクの搬入動作に連続して行われ、ドライブユニット５の上昇完了時にはターンテーブル４でディスクが支持される（詳しくは、ターンテーブル４とこれに対向するクランプ盤とによりディスクが回転自在にチャッキングされる）。又、ドライブユニット５の降下動作はディスク搬送機構によるディスクの搬出動作に先行して行われ、ドライブユニット５の降下開始時にはターンテーブル４に代わってディスクが引込アーム６，７と押出アーム８とで外周端面部を保持される。
【００２８】
次に、本発明の主要部を成すディスク脱落防止手段の構成例を図６〜図８に示して説明すれば、係るディスク脱落防止手段は、上記スロット部の長手方向中央部の下側で筐体内に収容されるディスクストッパ２５と上記伝動機構を構成するカムギヤ２１との間に、トリガアーム２６を掛け渡すことにより構成される。このうち、カムギヤ２１はピニオン部２１ａより径の大きい大径ギア部２１ｂを有し、その平面部には曲率が一端部で変化する渦巻き状のカム溝２１ｃが形成される。そして、そのカム溝２１ｃにトリガアーム２６の一端が係合される。トリガアーム２６は、中央部分がピン２７にて上記シャーシに取り付けられてピン２７を中心に回動可能とされており、その一端には上記カム溝２１ｃに係合する従動ピン２６ａが突設される。しかして、カムギヤ２１が回動すると、そのカム溝２１ｃの一端部領域においてピン２７を中心とするトリガアーム２６の回動が行われ、これが図６の時計回りに回動されたときには、トリガアーム２６の先端部によりディスクストッパ２５の部位が押圧されて該ディスクストッパ２５が図６に示される倒伏姿勢（ディスクの中心孔に対する退出位置）から図７に示される起立姿勢（ディスクの中心孔に対する進入位置）に転換されるようになっている。
【００２９】
尚、ディスクストッパ２５は、一端部がディスクの中心孔に進入するヘッド部２５ａとされて、他の一端部がピン２８にてブラケット２９に回動可能に取り付けられ、ブラケット２９は図１などに示したシャーシ１に固定される。
【００３０】
特に、図８から明らかなように、ブラケット２９には、くの字形に折れ曲がった凸部３０ａを形成する板バネ３０（弾性保持体）が一体的に設けられる一方、ディスクストッパ２５には、板バネの凸部３０ａに対応して支点側の一端部にＶ字形を成す２つの凹部２５ｂ，２５ｃが隣り合わせに形成される。そして、板バネの凸部３０ａが一方の凹部２５ｂに嵌合することでディスクストッパ２５がディスクの中心孔に対する退出位置（図６に示す状態）に保持され、板バネの凸部３０ａが他方の凹部２５ｃに嵌合したときにはディスクストッパ２５がディスクの中心孔に対する進入位置（図７に示す状態）に保持されるようにしてある。
【００３１】
ここで、図９によりディスク脱落防止手段の動作説明をすると、図９(１)はディスク搬送機構によってディスクＤが上記イジェクト位置に向かって矢印方向（ディスク搬出方向Ｌ２）に搬出され始めた状態であり、このときカムギヤ２１が回転状態にあるものの、トリガアーム２６は未だ静止している。又、ディスクストッパ２５はディスクＤの中心孔ｈに対する退出位置に保持されたまま、ディスクＤに近接する状態でその搬送経路を開放している。
【００３２】
尚、カムギヤ２１は、ディスクＤを搬出方向Ｌ２に向かわせるべく回転され続けるので、やがてトリガアーム２６がカムギヤ２１のカム溝２１ｃ（図６参照）によってピン２７を中心に図９の反時計回りに回動され、その先端部でディスクストッパ２５の部位を押圧するようになる。これにより、ディスクＤが上記イジェクト位置に到達する直前にディスクストッパ２５の回動が行われ、ディスクストッパの先端ヘッド部２５ａがその上を通過するディスクの中心孔ｈ内に進入する。
【００３３】
図９(２)は、上記のようにしてディスクストッパ２５がディスクの中心孔ｈ内に進入した状態を示している。このように、ディスクストッパ２５がディスクの中心孔ｈ内に進入すると、ディスクＤはイジェクト位置にあって中心孔ｈの半分程度が外部に露出した状態であるにも拘らず上記スロット部からの脱落を防止される。尚、ディスクストッパ２５がディスクの中心孔ｈに対する進入位置まで回動した時点において、トリガアーム２６はその先端部をディスクストッパ２５の部位に接触させたまま、上記カム溝２５ｃの一端部により回動不能にロックされるのであり、このためディスクストッパ２５もディスクの中心孔ｈに対する進入位置でロックされることになるが、そのようなロック状態は一時的なもので、ディスクの中心孔に対するディスクストッパ２５の進入後にはこれが図示せぬセンサにより検知されてカムギヤ２１が一定量だけ逆転され、これによりトリガアーム２６が初期状態に復帰され、その先端部が図９(３)に示すようディスクストッパ２５から離間する。
【００３４】
この結果、ディスクストッパ２５は、ディスクの中心孔ｈに対する進入位置にあって退出位置への復帰が許容され、この状態ではディスクの中心孔ｈに指先を掛けて該ディスクＤをスロット部から抜取ることが可能とされる。
【００３５】
しかして、スロット部からディスクＤを抜取るとき、その抜取力によりディスクストッパ２５が図９(４)のようにディスクの中心孔ｈに対する退出位置に復帰してディスクＤに干渉しない状態で保持されることとなる。このため、ディスクＤの盤面（信号記録エリア）にディスクストッパ２５を接触させることなく、当該ディスクＤをスロット部から好適に抜取ることができる。
【００３６】
次に、ディスク搬送機構によるディスクの搬送動作について説明する。先ず図１０によりディスクの搬入動作について説明すると、図１０(１)は初期状態（ディスクの搬入前）であり、このとき一方の引込アーム６は、捩りバネ１９の付勢力によりカム従動子６ｂがスライド部材のカム溝９ａの片面に押し付けられた状態で位置決めされている。又、他方の引込アーム７はリンク１３，１４を通じてシャーシ１の壁面に押し付けられた状態で位置決めされており、この状態では左右のローラ６ａ，７ａの間隔がディスクの直径よりも小さくなっている。尚、押出アーム８は、捩りバネ１９によりスライド部材の突起９ｂに押し付けられた状態で位置決めされている。
【００３７】
この状態で外部からスロット部（図１０において筐体の前面位置を示すラインＫＴ上に存在する）にディスクＤを挿入すると、その端面がローラ６ａ，７ａに接触するが、ディスクＤを更に強く押し込むと、その押込力によりローラ６ａ，７ａが押され、左右の引込アーム６，７が捩りバネ１９の付勢力に抗して押し広げられる。
【００３８】
そして、ディスクの中心孔ｈがローラ６ａ，７ａの間を通過した時点では、図１０(２)のように当該ディスクＤの端面が押出アームの押圧ピン８ａにも接触するようになり、このとき捩りバネ１９の作用でローラ６ａ，７ａと押圧ピン８ａがそれぞれディスクＤの端面に押圧されるために、ディスクＤは３点支持されるようになる。又、ディスクＤが引込アームのローラ６ａ，７ａと押出アームの押圧ピン８ａとで３点支持された段階では、引込アーム６の位置が図示せぬセンサにより検知され、その検知信号に基づいてディスクの搬入方向Ｌ１に対するスライド部材９の移動が開始される。
【００３９】
すると、スライド部材の突起９ｂにより押出アーム８が側面部を押圧されて図１０の時計回りに回動される一方、引込アーム６，７は捩りバネ１９により閉じる方向の付勢力を受けてディスクＤを押出アーム８側に押圧する。このため、ディスクＤは、引込アームのローラ６ａ，７ａと押出アームの押圧ピン８ａとで３点支持されたまま、図１０(３)のようにスライド部材９の移動方向と同じ搬入方向Ｌ１に移動され、やがて中心孔ｈがターンテーブル４と対向する位置（ドライブ位置）まで到達することとなる。
【００４０】
図１０(３)は、ディスクがドライブ位置に到達した状態であり、この状態ではスライド部材９のカム溝９ａの形状により引込アーム６，７の回動が規制されるほか、押出アーム８がスライド部材の突起９ｂにより図１０の時計回りに回動されることなく捩りバネ１９による反時計回りの回動を阻止されただけの状態となり、このためディスクＤは３点支持されたままドライブ位置に停止されるが、スライド部材９はその後も移動され続ける。
【００４１】
ディスクＤがドライブ位置に到達した後もスライド部材９の移動が続行されると、やがてスライド部材のピン９ｄが図１０(４)のように揺動レバーの切欠２４ａに係合し、これによって揺動レバー２４が図１０の反時計回りに回動されつつスライダ２２をスライド部材９側に引き寄せる。
【００４２】
このため、上記ドライブユニット５が上昇され、これに装備されるターンテーブル４によりドライブ位置に停止されたままのディスクＤが中心孔ｈの周囲を支持されつつ、そのチャッキング動作（ターンテーブルとクランプ盤によるディスク中心部の挟み込み）が行われる。尚、図１０で明らかなように、スライダ２２とシャーシ１はトグルバネ３１により連係されており、スライダ２２が右側に位置するときにはトグルバネ３１から右向きの付勢力が与えられると共に、スライダ２２が左側に位置するときにはトグルバネ３１から左向きの付勢力が与えられ、これによりスライダ２２を位置決めしながらドライブユニット５の昇降駆動力を軽減できるようにしている。
【００４３】
又、上記のようなディスクのチャッキング動作に並行し、スライド部材９のカム溝９ａがカム従動子６ｂを図１０(４)の右方に押圧することによる引込アーム６の逆転回動が行われるほか、スライド部材９の突起９ｂが押出アーム８の側面部を押圧することによる押出アーム８の回動が再開されることにより、図１０(４)のようにローラ６ａ，７ａおよび押圧ピン８ａがディスクの外周端面部から離間され、以ってディスクＤをドライブする準備が整えられる。
【００４４】
一方、ディスクの搬出は、上記のような搬入動作とは逆の動作により行われる。但し、ディスク搬送機構が図１０(４)の状態から図１０(２)の状態まで移行した段階では、ディスク脱落防止手段の実質的な動作が開始される。
【００４５】
詳しくは、ディスク搬送機構によるディスクの搬出時において、ディスクが図１０(２)に示す位置まで搬出されても、スライド部材９は図１１(１)のように矢印方向（ディスク搬出方向Ｌ２）に移動され続ける。このため、スライド部材９の突起９ｂもＬ２方向に移動するので、押出アーム８は図１０(２)の状態よりも更に反時計回りに回動されつつ、その押圧ピン８ａによってディスクＤを搬出方向Ｌ２に押し出すこととなる。
【００４６】
しかして、ディスクＤの中心がローラ６ａ，７ａの中心を通る直線を通過すると、この段階でディスクＤが押圧ピン８ａから離間する一方、捩りバネ１９の作用によりローラ６ａ，７ａがディスクＤの外周端面部に接触したまま閉じる方向に移動してディスクＤを外部に押し出す働きをする。
【００４７】
これにより、ディスクＤはその中心孔ｈの一部（約半分）がスロット部（上記のように筐体の前面位置を示すラインＫＴ上に存在する）より筐体外に露出するイジェクト位置まで搬出されることになるが、ディスクＤがイジェクト位置に到達する直前において、トリガアーム２６は、その一端従動ピン２６ａが図１１(２)のようにカムギヤ２１のカム溝２１ｃの一端部に位置して同図時計回りに回動される。このため、トリガアーム２６の先端部によりディスクストッパ２５の部位が押圧されて該ディスクストッパ２５がディスクの中心孔に対する進入位置に回動する。この結果、ディスクＤは、図１１(２)のようなイジェクト位置にあって、その中心孔ｈをディスクストッパ２５により保持されてスロット部からの脱落を防止される。
【００４８】
尚、上記のように、スライド部材９は、ディスクの中心孔ｈにディスクストッパ２５が進入した直後、カムギヤ２１の逆転により移動方向がＬ１方向に転換されて図１０(２)および図１１(３)のように初期位置まで復帰されることになるが、この段階では図１１(３)のようにディスクＤをスロット部から抜取ることができ、ディスクＤを抜取るときにはその抜取力によりディスクストッパ２５がディスクの中心孔に対する退出位置に復帰、保持されて、ディスクの搬送経路を開放することとなる。
【００４９】
以上、本発明について説明したが、本発明はＣＤプレーヤ、ＤＶＤレコーダ、又はカーナビゲーション用のＤＶＤプレーヤなど様々なディスク駆動装置に適用できる。尚、ディスクはＣＤ、ＤＶＤに限らず、Ｂｌｕ−ｒａｙやＨＤ−ＤＶＤディスクであってもよい。又、光ディスクに限らず、光磁気ディスクであっても勿論よい。
【図面の簡単な説明】
【００５０】
【図１】本発明に係るディスク駆動装置の内部構造を示す斜視図
【図２】同装置におけるディスク搬送機構を示す斜視図
【図３】シャーシを省略して示したディスク搬送機構の斜視図
【図４】ディスクを駆動するドライブユニットを示す斜視図（降下状態）
【図５】同ドライブユニットを示す斜視図（上昇状態）
【図６】ディスク脱落防止手段の構成例を示す斜視図
【図７】ディスクストッパがディスク中心孔に進入する状態を示す斜視図
【図８】ディスクストッパの斜視分解図
【図９】ディスク脱落防止手段の動作説明図
【図１０】ディスクの搬入動作を示す説明図
【図１１】ディスクの搬出動作を示す説明図
【符号の説明】
【００５１】
４  ターンテーブル
５  ドライブユニット
６，７  引込アーム
８  押出アーム
９  スライド部材
１９  捩りバネ
２１  カムギヤ
２２  スライダ
２５  ディスクストッパ
２６  トリガアーム
３０  板バネ（弾性保持体）
【図１】
2007149227.tif 000003
【図２】
2007149227.tif 000004
【図３】
2007149227.tif 000005
【図４】
2007149227.tif 000006
【図５】
2007149227.tif 000007
【図６】
2007149227.tif 000008
【図７】
2007149227.tif 000009
【図８】
2007149227.tif 000010
【図９】
2007149227.tif 000011
【図１０】
2007149227.tif 000012
【図１１】
2007149227.tif 000013